(57)【要約】【課題】例えば液晶パネル等の電気光学パネルと、該電気光学パネルに光を照射するためのバックライトユニットとを備えた電気光学装置およびそれを用いた電子機器を、実装ケース内面の光の反射率によって表示性能を損ねたり、バックライトユニットの利用効率が低下するのを良好に防止できるようにする。【解決手段】電気光学パネル２と、該電気光学パネルに対向して配置されたバックライトユニット３とが実装ケース内に収容された電気光学装置であって、前記実装ケースの少なくとも前記電気光学パネル側の面は、前記バックライトユニット側の面よりも光反射率が低いことを特徴とする。【選択図】  図７
2010117642.tif 000002
【特許請求の範囲】
【請求項１】
電気光学パネルと、該電気光学パネルに対向して配置されたバックライトユニットとが実装ケース内に収容された電気光学装置であって、
前記実装ケースの少なくとも前記電気光学パネル側の面は、前記バックライトユニット側の面よりも光反射率が低いことを特徴とする電気光学装置。
【請求項２】
前記実装ケースの前記電気光学パネル側を光反射率の低い樹脂材料で形成すると共に、前記バックライトユニット側を光反射率の高い樹脂材料で形成することを特徴とする請求項１に記載の電気光学装置。
【請求項３】
前記実装ケースを光反射率の低い樹脂材料で形成し、該実装ケースの前記バックライトユニット側の面に光反射率の高い被覆層または光反射面を設けたことを特徴とする請求項１に記載の電気光学装置。
【請求項４】
前記実装ケースを光反射率の高い樹脂材料で形成し、または前記実装ケースの少なくともバックライトユニット側の面に光反射面を構成し、前記実装ケースの前記電気光学パネル側の面に光反射率の低い被覆層を設けたことを特徴とする請求項１に記載の電気光学装置。
【請求項５】
前記実装ケースは、一方から電気光学パネルを、他方からバックライトユニットをそれぞれ収容して保持するフレームと、前記フレームと接すると共に前記バックライトと係合する遮光部材とを備え、前記フレームの少なくとも前記電気光学パネル側の面は、前記バックライトユニット側の面よりも光反射率が低いことを特徴とする請求項１に記載の電気光学装置。
【請求項６】
前記フレームは、側壁部と、該側壁部の内方に設けられた支持部とを有し、前記側壁部および支持部の少なくとも前記電気光学パネル側の面は、前記バックライトユニット側の面よりも光反射率が低いことを特徴とする請求項５に記載の電気光学装置。
【請求項７】
請求項１〜６のいずれかに記載の電気光学装置を有することを特徴とする電子機器。
【発明の詳細な説明】
【技術分野】
【０００１】
本発明は液晶装置等の電気光学装置および電子機器に関する。更に詳しくは、液晶パネル等の電気光学パネルと、その電気光学パネルに光を照射するためのバックライトユニットとを備えた電気光学装置およびそれを用いた電子機器に関するものである。
【背景技術】
【０００２】
従来、例えば液晶装置等の電気光学装置は、コンピュータや携帯電話その他各種電子機器における表示装置などとして用いられ、特に液晶装置は軽量・薄型で消費電力も少ないことから各種電子機器の表示装置として広く利用されている。
【０００３】
上記のような液晶装置等の電気光学装置は、一般に液晶パネル等の電気光学パネルの背面側に、照明用の光源と、その光源からの光を上記パネルに導くための導光板や光拡散板などを１のユニットとして構成したバックライトユニットを配置し、そのバックライトユニットによって上記電気光学パネルに背面側から光を照射して該パネルの正面側の画素領域に所望の画像等を表示するものである。
【０００４】
このようなバックライトユニットを備えた電気光学装置は、上記電気光学パネルとバックライトユニットとを何らかの手段で一体化した状態で使用するのが一般的であり、その一体化する手段として、例えば下記特許文献１においては、方形枠状のフレーム（フレームケース）内に液晶パネルと、そのパネルに対向して配置されるバックライトユニットとを収容し、そのフレーム内に収容した液晶パネルのバックライトユニットと反対側の面および上記フレームの側面の少なくとも一部を覆うシールドケース等の遮光部材を設けた構成が開示されている。
【０００５】
【特許文献１】特開２００５−７７５５７号公報
【発明の開示】
【発明が解決しようとする課題】
【０００６】
しかし、上記特許文献１のように、電気光学パネルとバックライトユニットとを共通のフレーム内に収容した場合、そのフレーム内面の光の反射率はフレームの材質や色彩によって決まり、通常は内面全面がほぼ一定である。そのため、フレーム内面の光の反射率が高いと、例えばパネルの側方に洩れた光が上記フレーム内面で反射してパネルの表面側に出射して表示性能を損ねる等のおそれがある。また逆に上記フレーム内面の光の反射率が低いと、例えばバックライトユニットから出た光の一部が上記フレーム内面で吸収されてバックライトユニットから出た光の利用効率が低下する等の問題がある。
【０００７】
また上記特許文献１には、上記フレーム内に収容した電気光学パネルとフレームとの間に、上記パネルの位置決め部材を兼ねる遮光マウントケースをフレーム内面に沿って設けた構成が開示されているが、上記のような遮光マウントケースを上記フレームや前記のシールドケース等の遮光部材とは別に設けると、部品点数および組立工数が増し、製造コストが増大する等の不具合がある。
【０００８】
本発明は上記の問題点に鑑みて提案されたもので、上記フレーム等の実装ケース内面の光の反射によって表示性能を損ねたり、バックライトユニットの利用効率が低下するのを良好に防止できると共に、構造簡単で容易・安価に製造することのできる電気光学装置およびそれを用いた電子機器を提供することを目的とする。
【課題を解決するための手段】
【０００９】
上記の目的を達成するために、本発明による電気光学装置およびそれを用いた電子機器は、以下の構成としたものである。すなわち、本発明による電気光学装置は、電気光学パネルと、該電気光学パネルに対向して配置されたバックライトユニットとが実装ケース内に収容された電気光学装置であって、前記実装ケースの少なくとも前記電気光学パネル側の面は、前記バックライトユニット側の面よりも光反射率が低いことを特徴とする。
【００１０】
上記のように実装ケースの少なくとも前記電気光学パネル側の面が、前記バックライトユニット側の面よりも光反射率が低いので、上記フレーム内面の光の反射率によって表示性能を損ねたり、バックライトユニットの利用効率が低下するのを良好に防止できると共に、構成や構造が簡単で容易・安価に製造することが可能となる。
【００１１】
上記のように実装ケースの少なくとも電気光学パネル側の面が、バックライトユニット側の面よりも光反射率が低くなるようにする手段等は適宜であるが、例えば実装ケースの電気光学パネル側を光反射率の低い樹脂材料、例えば少なくとも表面が黒色等の光反射率の低い色彩の樹脂材料で形成し、バックライトユニット側を光反射率の高い樹脂材料、例えば少なくとも表面が白色等の光反射率の高い色彩の樹脂材料で形成する。もしくは実装ケースを光反射率の低い樹脂材料、例えば黒色等の光反射率の低い色彩の樹脂材料で形成し、該実装ケースのバックライトユニット側の面に光反射率の高い被覆層、例えば白色等の光反射率の高い色彩の被覆層を形成するか、または鏡面や金属光沢面等の光反射面を設ける。或いは上記実装ケースを光反射率の高い樹脂材料、例えば白色等の光反射率の高い色彩の樹脂材料で形成するか、または上記実装ケースの少なくともバックライトユニット側の面に鏡面や金属光沢面等の光反射面を構成し、該実装ケースの電気光学パネル側の面に光反射率の低い被覆層、例えば黒色等の光反射率の低い色彩の被覆層を設けた構成とすることができる。
【００１２】
上記いずれの場合にも、前記と同様にフレーム内面の光の反射率によって表示性能を損ねたり、バックライトユニットの利用効率が低下するのを良好に防止できると共に、構成や構造が簡単で容易・安価に製造することが可能となる。
【００１３】
また上記実装ケースは、一方の面から電気光学パネルを、他方の面からバックライトユニットをそれぞれ収容して保持するフレームと、そのフレームと接すると共にバックライトと係合する遮光部材とを備える構成とし、上記フレームの少なくとも電気光学パネル側の面は、バックライトユニット側の面よりも光反射率が低い構成としてもよい。
【００１４】
さらに上記実装ケースのフレームは、側壁部と、その側壁部の内方に設けられた支持部とを有し、上記側壁部および支持部の少なくとも電気光学パネル側の面は、バックライトユニット側の面よりも光反射率が低い構成としてもよい。
【００１５】
上記のように構成すると、フレームと遮光部材とを有する実装ケースによって電気光学パネルとバックライトユニットを収容保持することが可能となると共に、前記と同様にフレーム内面の光の反射率によって表示性能を損ねたり、バックライトユニットの利用効率が低下するのを良好に防止することが可能となる。
【００１６】
また本発明による電子機器は、上記のような電気光学装置を有することを特徴とする。上記のような電気光学装置を有することで、表示性能等に優れ、バックライトユニットからの光の利用効率が高い電子機器を構造簡単かつ容易・安価に得ることが可能となる。
【発明を実施するための最良の形態】
【００１７】
以下、本発明を液晶装置に適用した場合を例にして本発明による電気光学装置を、図に示す実施形態に基づいて具体的に説明する。図１（ａ）は本発明による電気光学装置としての液晶装置の一実施形態を示す平面図、同図（ｂ）はその側面図、図２、図３および図４はそれぞれ図１におけるＡ−Ａ、Ｂ−ＢおよびＣ−Ｃ断面図である。
【００１８】
本実施形態の電気光学装置としての液晶装置１は、図１〜図４に示すように電気光学パネルとしての液晶パネル２と、その液晶パネル２の背面側に配設されるバックライトユニット３とを、実装ケース内に収容するようにしたもので、その実装ケースは、本実施形態においては上記液晶パネル２とバックライトユニット３とを対向配置した状態で嵌合保持するフレーム４と、そのフレーム４に嵌合保持させた液晶パネル２の外面側（バックライトユニット３と反対側）を覆うようにして配設されるカバーである遮光部材５とよりなる。
【００１９】
上記フレーム４は、本実施形態においてはポリカーボネイト樹脂等の合成樹脂により図１〜図４に示すように全体的にやや扁平な直方体状で、周辺部に平面略方形枠状の側壁部４１〜４３を有し、その内方に、中央部に透光用の開口部４４ａを有する仕切板状の支持部４４を一体に設けた断面略Ｈ字形に形成され、そのＨ字形フレーム４の一方の凹部（図の場合は上記支持部４４よりも上側の凹部）４０ａ内に液晶パネル２を、他方の凹部（図の場合は上記支持部４４よりも下側の凹部）４０ｂ内にバックライトユニット３をそれぞれ嵌合保持させて収容するようにしたものである。
【００２０】
上記液晶パネル２およびバックライトユニット３は必要に応じて接着材や両面接着テープ等で上記フレーム４に固着してもよく、本実施形態においては液晶パネル２はフレーム４に接着材で固定されているが、図には省略した。また上記バックライトユニット３は、液晶パネル２に対して所定の領域以外に光が照射されるのを防ぐための遮光膜を兼ねる略方形枠状の両面接着テープ３１を介して上記フレーム４の支持部４４の一方の面（図の場合は下面）に固着した構成である。
【００２１】
遮光部材５は、本実施形態においてはステンレス等の金属板により上記フレーム４内に収容した液晶パネル２の一方の面（図の場合は上面）を覆う平面部５１と、その平面部５１の幅方向（図３および図４において左右方向）両端部に上記平面部５１と略直角に屈曲形成した対向面部５２・５２とからなる横断面コ字形（チャンネル型）に形成したもので、上記平面部５１で上記液晶パネル２の外面側を覆うと共に、上記対向面部５２・５２で、それぞれ上記フレーム４の互いに対向する側壁部４３・４３の外面の一部を覆う構成である。上記各対向面部５２・５２は、その内面側に位置する上記側壁部４３・４３の外面に接するようにして配置され、上記平面部５１における上記液晶パネル２の画素領域（表示領域）に対応する位置には、その部分を開口させて形成した表示窓５ａが設けられている。
【００２２】
また上記実施形態においては、図２および図４に示すように上記液晶パネル２とバックライトユニット３とをフレーム４に嵌合保持させた状態で上記液晶パネル２の外面側を遮光部材５で覆うと共に、その遮光部材５とバックライトユニット３とを互いに連結して上記４つの部材２〜５を一体化するようにしたもので、その遮光部材５とバックライトユニット３との連結手段として、図の場合は上記各対向面部５２・５２に係止孔５ｃを形成すると共に、その係止孔５ｃに係合する突起３ｃを上記バックライトユニット３の図４で左右両側の端部に、それと一体的に設けたものである。
【００２３】
さらに各側壁部４３・４３の外面側には、図１および図３に示すように上記対向面部５２よりも外側方に突出する張り出し部４３ａが上記各側壁部４３と一体に設けられ、その張り出し部４３ａとの干渉を避けるようにして上記各対向面部５２・５２には、それぞれ切り欠き凹部５２ａが形成されている。また上記各対向面部５２・５２の切り欠き凹部５２ａの両側には、図１（ｂ）に示すように下向きの舌状部５２ｂ・５２ｂが一体に設けられ、その各舌状部５２ｂに上記の係止孔５ｃが設けられている。その係止孔５ｃが係合する突起３ｃは、本実施形態においては上記各係止孔５ｃに対応してバックライトユニット３の図４で左右両側の端部にそれぞれ２つずつ設けられている。その突起３ｃおよび係止孔５ｃの配置位置や個数は適宜変更可能である。
【００２４】
図１および図４において、４ｃは上記各突起３ｃの近傍のフレーム４の側壁部４３・４３の外面にそれと一体に設けた案内突起で、その各案内突起４ｃのほぼ上半部には傾斜面４ｃ１が設けられ、上記各係止孔５ｃをバックライトユニット３の突起３ｃに係合させる際に、その各係止孔５ｃよりも下側の舌状部５２ｂを外側方に押し開きながら上記案内突起４ｃおよび突起３ｃを乗り越えさせることによって該突起３ｃに上記係止孔５ｃを係合させる構成である。
【００２５】
また上記フレーム４の互いに対向する側壁部４３・４３と交差する方向において互いに対向する側壁部、すなわち図１および図２において左右方向に対向する側壁部４１・４２には、その互いに対向する側と反対側の縁部外周にフランジ状の突出部４１ａ・４２ａが形成され、その両突出部４１ａ・４２ａ間に上記遮光部材５が配置されている。また上記各突出部４１ａ・４２ａは、図１（ｂ）および図２に示すように上記遮光部材５よりも外方（図で上方）に突出すると共に、バックライトユニット３よりも外方（図で下方）に突出するように形成されている。
【００２６】
液晶パネル２の構成は適宜であるが、本実施形態は画素用のスイッチング素子として薄膜トランジスタを用いたアクティブマトリックス型の液晶パネルを用いたもので、その具体的な構成を図５に基づいて説明する。図５（ａ）は上記液晶パネル２の平面図、同図（ｂ）は（ａ）におけるｂ−ｂ断面図である。
【００２７】
本実施形態の液晶パネル２は上記のように薄膜トランジスタを画素用のスイッチング素子として用いたもので、その薄膜トランジスタは、図５に示す石英やガラスもしくはシリコン等からなる素子基板（ＴＦＴアレイ基板）１０上に設けられ、その素子基板１０に対向してガラスや石英等からなる対向基板２０が設けられている。その素子基板１０と対向基板２０とは、画素領域（画像表示領域）２Ａの周囲に設けたシール材２４により相互に接着固定され、そのシール材２４の内側の素子基板１０と対向基板２０との間に液晶を注入した液晶層２５が設けられている。図５において、２４ａは上記シール材２４の一部を欠落させて形成した液晶注入口、２４ｂはその液晶注入口２４ａを塞ぐ封止材である。
【００２８】
上記シール材２４の外側の領域、すなわち上記画素領域２Ａの外側の周辺領域には、不図示のデータ線に画像信号を所定のタイミングで供給することにより該データ線を駆動するデータ線駆動回路１４および外部回路接続端子１５が素子基板１０の一辺に沿って設けられている。また不図示の走査線に走査信号を所定のタイミングで供給することにより該走査線を駆動する走査線駆動回路１６が、上記の一辺に隣接する二辺と平行に且つ上記シール材２４の内側に設けた遮光膜２６に対向する位置において上記素子基板１０上に設けられている。さらに素子基板１０の残る一辺には、上記二辺と平行に設けられた走査線駆動回路１６の上記外部回路接続端子１５側と反対側をつなぐための複数の配線１７が設けられている。
【００２９】
上記シール材２４の４つのコーナー部における素子基板１０上には上下導通端子１９が形成され、素子基板１０と対向基板２０相互間には、下端が上下導通端子１９に接触し、上端が対向電極２０に接触する上下導通材１８が設けられており、その上下導通材１８によって、素子基板１０と対向基板２０との間で電気的な導通がとられている。その素子基板１０と対向基板２０の外面側（液晶層２５と反対側）には、それぞれ偏光板１１，２１が配置固定されている。
【００３０】
上記素子基板１０の内面側（液晶層２５側）には画素を構成する画素電極１２等が設けられ、その内側には配向膜１３が設けられている。また上記対向基板２０上にはその略全面にわたって対向電極２２が設けられ、その内面側にも配向膜２３が設けられている。その各配向膜１３，２３は、例えば、ポリイミド膜等の透明な有機膜からなり、その表面にラビング処理等を施こすことによって上記液晶層２５内の液晶分子が、該液晶層２５に供給される電圧に応じて所定の方向に配向する構成である。
【００３１】
上記のように構成された液晶パネル２を、図１〜図３の実施形態のようにフレーム４と遮光部材５とからなる実装ケース内に組付けるに当たっては、例えば以下の要領で行えばよい。先ず、図５のように構成された液晶パネル２を、図２のように上下反転させて図６（ａ）に示すように断面略Ｈ字形のフレーム４の一方（図の場合は上側）の凹部４０ａ内に挿入して嵌合保持させる共に、上記フレーム４の他方（図の場合は下側）の凹部４０ｂ内にバックライトユニット３を挿入して嵌合保持させる。
【００３２】
次いで、図６（ｂ）のように上記フレーム４に嵌合保持させた液晶パネル２の外側（図の場合は上側）から遮光部材５を被せ、その遮光部材５の対向面部５２・５２をフレーム４の側壁部４３・４３の外面に沿って下降移動させる。すると、上記各対向面部５２・５２に設けた係止孔５ｃよりも下側の舌状部５２ｂが、案内突起４ｃの傾斜面４ｃ１に沿って外側方に押し開かれながら該案内突起４ｃおよび突起３ｃを乗り越えることによって上記各係止孔５ｃに突起３ｃが係合する。それによって上記遮光部材５がバックライトユニット３に連結される共に、その上記遮光部材５とバックライトユニット３との間に液晶パネル２とフレーム４とが狭持された状態で上記４つの部材２〜５が一体的に連結保持されるものである。
【００３３】
なお、上記フレーム４に嵌合する際の液晶パネル２の向き及びフレーム４に対する嵌合構造等は適宜変更可能である。また図１〜図３の実施形態で用いたバックライトユニット３は、ＬＥＤ等の光源からの光を導光体や光拡散板等を介して上記液晶パネル２の背面側に照射する構成であり、それらの構成部材をケーシング等で覆ってユニット化したものである。そのバックライトユニット３の構成部材や内部構造等は適宜変更可能であり、図示例においては上記構成部材や内部構造等は省略して全体的な外観形状のみを表したものである。
【００３４】
図２および図３において、２９，３０は、それぞれ液晶パネル２およびバックライトユニット３と外部の電源や信号入力源とを電気的に接続するための導電接続部材を兼ねる可撓性プリント配線基板（ＦＰＣ）で、その各配線基板２９，３０は、上記液晶パネル２およびバックライトユニット３をフレーム４に嵌合保持させた状態において、図２に示すように上記フレーム４の前壁部４１に形成した切欠凹部４１ｂ，４１ｃ内に位置するように構成されている。
【００３５】
本発明は上記のような液晶パネル２等の電気光学パネルと、該電気光学パネルの背面に配設されるバックライトユニット３とを、上記フレーム４や遮光部材５などからなる実装ケースに保持させるようにした液晶装置等の電気光学装置において、上記実装ケースの少なくとも電気光学パネル側の面を、バックライトユニット側の面よりも光の反射率が低くなるように構成したもので、以下その具体的な構成例について説明する。
【００３６】
図７は実装ケースの電気光学パネル側の面がバックライトユニット側の面よりも光の反射率が低くなるようにした電気光学装置の一例を示すもので、本例は上記と同様に構成した電気光学装置としての液晶装置１における実装ケースを構成するフレーム４の液晶パネル２側（図で上側）の部分４ａを光反射率の低い樹脂材料、例えば黒色等の光反射率の低い色彩の樹脂材料で形成し、バックライトユニット３側（図で下側）の部分４ｂを光反射率の高い樹脂材料、例えば白色等の光反射率の高い色彩の樹脂材料でそれぞれ形成したものである。特に、図の場合は上記の透光用の開口部４４ａを有する支持部４４の該開口部４４ａ側の端部における上側の角部から上記支持部４４の厚さ方向（図７で上下方向）ほぼ中間部を通る境界面Ｂ１よりも液晶パネル２側の部分４ａを黒色の樹脂材料で、また上記境界面Ｂ１よりもバックライトユニット３側の部分４ｂを白色の樹脂材料でそれぞれ形成したものである。なお、上記図７は枠状のフレーム４の一部のみを示したものであるが、その枠状のフレーム４の周方向全長にわたって上記と同様に形成されている。後述する図８および図９の構成例についてもフレーム４の一部のみを示すが、フレーム４の周方向全長にわたって同様に構成されている。
【００３７】
上記のように構成すると、フレーム４の液晶パネル２側の部分４ａの表面に光反射率がバックライトユニット３側の部分４ｂの表面の光の反射率よりも低くなり、液晶パネル２の近傍での光の反射によって表示性能を損ねたり、バックライトユニット近傍での光の吸収によって光の利用効率が低下するの防ぐことができる。特に上記実施形態のように液晶パネル２側の部分４ａを黒色等の光反射率の低い色彩の樹脂材料で形成すると、液晶パネル近傍での光の反射が低減されて迷光等による表示性能の低下を良好に防止することができると共に、バックライトユニット３側の部分４ｂを白色等の光反射率の高い色彩の樹脂材料で形成すると、バックライトユニット近傍での反射率が増大すると同時に光の吸収量が低減されてバックライトユニットからの光を有効に利用することが可能となる。その結果、明るくて表示性能の優れた電気光学装置を構造簡単で容易・安価に製造することができるものである。
【００３８】
図８は上記と同様に実装ケースの反射率を異ならせた電気光学装置としての液晶装置の他の例を示すもので、本例は上記と同様に構成した液晶装置１におけるフレーム４を光反射率の低い樹脂材料、例えば黒色等の光反射率の低い色彩の樹脂材料で形成し、そのフレーム４のバックライトユニット３側の部分４ｂの表面に光反射率の高い被覆層、例えば白色等の光反射率の高い色彩の被覆層または鏡面や金属光沢面等の光反射面を設けるようにしたものである。特に、図の場合は上記前フレーム４全体を黒色等の樹脂材料で形成し、そのフレーム４のバックライトユニット３側の部分４ｂの表面に白色等の被覆層６１を形成したものであるが、その被覆層６１の代わりに鏡面や金属光沢面等の光反射面を設けるようにしてもよい。なお、図示例は上記被覆層６１を上記支持部４４の表面の上記角部から両面接着テープ３１に至るまでの領域のみに施したが、上記両面接着テープ３１の部分やバックライトユニット３の側面に対面するフレーム４の下部内面にも上記と同様の被覆層６１または光反射面を設けるようにしてもよい。上記のように構成した場合にも図７と同様もしくはよりよい作用効果が得られる。特に鏡面や金属光沢面等の光反射面を設けた場合は、白色等の被覆層６１を設けた場合よりも高い光反射率が得られる場合がある。
【００３９】
図９は上記と同様に実装ケースの反射率を異ならせた電気光学装置としての液晶装置の更に他の例を示すもので、本例は上記と同様に構成した液晶装置１におけるフレーム４を光反射率の高い樹脂材料、例えば白色等の光反射率の高い色彩の樹脂材料で形成するか、または上記フレーム４の少なくともバックライトユニット３側の面に光反射面を有する金属で形成し、上記フレーム４の液晶パネル２側の面に光反射率の低い被覆層、例えば黒色等の光反射率の低い色彩の被覆層６２を形成するようにしたものである。特に図の場合は上記フレーム４全体を白色の樹脂材料で形成し、そのフレーム４の液晶パネル２側の表面、図示例においては支持部４４の開口部４４ａ側の端部の上側の角部よりも液晶パネル２側（図で上側）の内面に黒色の塗料等よりなる被覆層６２を設けたものであるが、上記フレーム４全体を白色の樹脂材料で形成する代わりに、上記フレーム４の少なくともバックライトユニット３側の面に鏡面や金属光沢面等の光反射面を有する構成としてもよい。上記のように構成した場合にも図７や図８と同様の作用効果が得られる。
【００４０】
なお、上記各構成例は一例であり、少なくとも実装ケースの電気光学パネル側の面がバックライトユニット側の面よりも光の反射率が低くなるようにすればよく、また好ましくは実装ケースの液晶パネル２側の表面が黒色等の光反射率の低い色彩で、バックライトユニット３側の表面が白色等の光反射率の高い色彩もしくは鏡面や金属光沢面等の光反射率の高い表面処理または被覆層を施すようにすればよい。また上記実施形態のように実装ケースとしてフレーム４と遮光部材５とを用いる場合には、その遮光部材５も上記と同様に構成してもよく、特に、上記実施形態のように液晶パネル２を覆う構成のものにあっては、その少なくとも内面側を黒色等の光反射率の低い色彩とし、またバックライトユニット３側を覆うものにあっては、その少なくとも内面側を白色等の光反射率の高い色彩もしくは鏡面や金属光沢面等の光反射率の高い表面処理または被覆層を施せばよい。さらに上記のようなフレーム４と遮光部材５とからなる実装ケースに限らず、その他各種の実装ケースにも適用することができる。
【００４１】
また上記実施形態は、電気光学装置として液晶装置に適用し、電気光学パネルとしてアクティブマトリックス型の液晶パネルを用いた場合を例にして説明したが、パッシブマトリクス型の液晶パネルを用いてもよく、また液晶パネルに限らず、その他各種の電気光学パネルを用いて上記液晶装置と同様の構成の電気光学装置を得ることもできる。
【００４２】
さらに上記のように構成した電気光学装置を各種の電気機器の表示部や表示装置等として用いることができる。図１０はその一例を示すもので、上記のように構成された電気光学装置として液晶装置１を、電子機器７としてのデジタルカメラ７０におけるエレクトリカルビューファインダ（ＥＶＦ）として用いたものである。図中７１は画像表示モニタ、７２はシャッタボタン、７３はダイヤルスイッチ、７４は電源ボタンである。
【００４３】
本発明による電気光学装置は、上記のようなデジタルカメラに限らず、その他各種の電気機器にも適用可能であり、例えば携帯電話機やＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器にも広く利用することができる。
【図面の簡単な説明】
【００４４】
【図１】（ａ）は本発明による電気光学装置としての液晶装置の一実施形態を示す平面図、（ｂ）はその側面図。
【図２】図１におけるＡ−Ａ断面図。
【図３】図１におけるＢ−Ｂ断面図。
【図４】図１におけるＣ−Ｃ断面図。
【図５】（ａ）は電気光学パネルとしての液晶パネルの具体的な構成の一例を示す平面図、（ｂ）は（ａ）におけるｂ−ｂ断面図。
【図６】（ａ）および（ｂ）は電気光学パネルとしての液晶パネルとバックライトユニットとを実装ケース内に収容するプロセスの一例を示す説明図。
【図７】本発明による電気光学装置における実装ケースの具体的な構成の一例を示す一部の縦断面図。
【図８】本発明による電気光学装置における実装ケースの具体的な構成の他の例を示す一部の縦断面図。
【図９】本発明による電気光学装置における実装ケースの具体的な構成の更に他の例を示す一部の縦断面図。
【図１０】本発明による電気光学装置としての液晶装置を用いた電子機器としてのデジタルカメラの背面図。
【符号の説明】
【００４５】
１…液晶装置（電気光学装置）、２…液晶パネル（電気光学パネル）、１０…素子基板、２０…対向基板、１１、２１…偏光板、１２…画素電極、２２…対向電極、１３、２３…配向膜、２４…シール材、２５…液晶層、３…バックライトユニット、３ｃ…突起、３１…両面接着テープ、４…フレーム、４ａ…パネル側部分、４ｂ…バックライト側部分、４ｃ…突起、４０ａ，４０ｂ…凹部、４１…側壁部（前壁部）、４２…側壁部（後壁部）、４１ａ、４２ａ…突出部、４３…側壁部、４３ａ…張り出し部、４４…支持部、４４ａ…開口部、５…遮光部材、５ａ…表示窓、５ｃ…係止孔、５１…平面部、５２…対向面部、６１、６２…被覆層、７…電子機器、７０…デジタルカメラ。
【図１】
2010117642.tif 000003
【図２】
2010117642.tif 000004
【図３】
2010117642.tif 000005
【図４】
2010117642.tif 000006
【図５】
2010117642.tif 000007
【図６】
2010117642.tif 000008
【図７】
2010117642.tif 000009
【図８】
2010117642.tif 000010
【図９】
2010117642.tif 000011
【図１０】
2010117642.tif 000012